(57)【要約】      （修正有）【課題】木材の収縮に影響を受けることなく、木質柱状部材同士の連結状態を長期間良好に維持できる連結構造及びこの連結構造を備えた木製防護柵を提供する。【解決手段】軸方向に設けられたスリット部と、ボルト挿通孔２４，３５とを有する複数の木質の柱状部材同士が、連結部材４の嵌装部に設けられたボルト挿通孔４１，４２がボルト挿通孔２４，３５に一致するようにスリット部に嵌装させ、ボルト１１，１２を締め込む木質柱状部材の連結構造であって、ボルト挿通孔２４，３５は、木質柱状部材の外壁面側がボルト１１，１２の胴部の径より大径で、中央にボルトの胴部を挿通可能なボルト挿通孔６１を備えた筒状ゴム弾性体６０が、ボルト挿通孔２４，３５の大径になった部分に嵌め込まれているとともに、この筒状ゴム弾性体がボルト１１，１２の締め込みによって筒の軸方向に圧縮され、その周面がボルト挿通孔２４，３５の内壁面に圧接されている。【選択図】図３
2006057301.tif 000002
【特許請求の範囲】
【請求項１】
その一部に軸方向に設けられたスリット部と、このスリット部に交差する方向にボルト挿通孔とを有する複数の木質の柱状部材同士が、
それぞれ１つの連結部材に設けられた嵌装部を、この嵌装部に設けられたボルト挿通孔が木質柱状部材のボルト挿通孔に一致するように前記スリット部に嵌装させ、木質柱状部材を貫通するように配置されたボルトを締め込むことによって、連結部材を介して連結されている木質柱状部材の連結構造であって、
前記木質柱状部材のボルト挿通孔は、少なくとも木質柱状部材の外壁面側がボルトの胴部の径より大径になっていて、
中央にボルトの胴部を挿通可能なボルト挿通孔を備えた筒状ゴム弾性体が、前記木質柱状部材のボルト挿通孔の大径になった部分に嵌め込まれているとともに、この筒状ゴム弾性体が前記ボルトの締め込みによって筒の軸方向に圧縮され、その周面が木質柱状部材のボルト挿通孔の内壁面に圧接されていることを特徴とする木質柱状部材の連結構造。
【請求項２】
連結部材の嵌装部に設けられたボルト挿通孔が、連結される木質柱状部材の軸方向に長い長孔に形成されており、木質柱状部材に対する連結部材の取り付け位置を木質柱状部材の軸方向に変更可能であることを特徴とする請求項１記載の木質柱状部材の連結構造。
【請求項３】
連結部材の嵌装部に複数個のボルト挿通孔が設けられており、木質柱状部材に複数箇所で固定されていることを特徴とする請求項１または２記載の木質柱状部材の連結構造。
【請求項４】
中央にボルト挿通孔を有するワッシャ部と、ワッシャ部から立ち上がる側壁部とを備え、木質柱状部材のボルト挿通孔の大径になった部分に嵌合可能な嵌合部と、嵌合部の両側に配置され、前記木質柱状部材の外壁面のカーブに沿って当該外壁面に当接可能な壁面当接部とを備えた変形ワッシャが、筒状ゴム弾性体の外側から木質柱状部材のボルト挿通孔の大径になった部分に嵌め込まれて、ボルトの締め込みによって、壁面当接部が木質柱状部材に圧接されていることを特徴とする請求項１から請求項３のいずれかに記載の木質柱状部材の連結構造。
【請求項５】
間隔をおいて立設される複数本の木質の支柱と、隣接する支柱間にブラケットを介して連結される複数本の木質のビームとを備えてなる木製防護柵であって、
支柱は、支柱の一端部を径方向に２分割するスリット部と、このスリット部に交差するように配置されたボルト挿通孔とを備えており、ボルト挿通孔は、少なくとも支柱の外壁面側がボルトの胴部の径より大径に形成され、
ビームは、ビームの両端部を径方向に２分割するスリット部と、このスリット部に交差するように配置されたボルト挿通孔とを備えており、ボルト挿通孔は、少なくともビームの外壁面側がボルトの胴部の径より大径に形成され、
ブラケットは、支柱のスリット部とビームのスリット部とにそれぞれ嵌装される複数の嵌装部と、各嵌装部の一部に形成されるボルト挿通孔とを備えており、
支柱とビームのスリット部には、ブラケットの各嵌装部が嵌装され、支柱のボルト挿通孔には、中央にボルトの胴部を挿通可能なボルト挿通孔を備えた筒状ゴム弾性体が嵌め込まれ、ブラケットのボルト挿通孔と筒状ゴム弾性体のボルト挿通孔とを貫通するボルトがナットで締め込まれることにより、筒状ゴム弾性体が筒の軸方向に圧縮され、その周面が支柱のボルト挿通孔の内壁面に圧接した状態で、ブラケットが支柱とビームのそれぞれに固定されていることを特徴とする木製防護柵。
【発明の詳細な説明】
【技術分野】
【０００１】
本発明は、所謂センタービームタイプの木製防護柵に関するものである。
【背景技術】
【０００２】
従来、この種の木製防護柵としては、間隔をおいて立設された複数本の木製の支柱と、隣接する支柱間に架け渡された木製のビーム（横架材）とを備え、各支柱に、その支柱を径方向に２分割する縦割り溝が、支柱上端面から所定の高さ位置まで軸方向に延在して形成され、この縦割り溝に、一方向に長い金属板材からなるブラケットが、その長手方向の両端部を支柱外周面から突出させた状態に挿嵌されるとともに、縦割り溝と略直交する方向に支柱及びブラケットを貫通する第１ボルトとナットとによって、ブラケットが傾斜角度調節可能に支柱に固定されており、各ビームの両端部には、少なくともビームの軸方向の端面に開口するブラケット挿入溝が形成され、このブラケット挿入溝に、前記支柱外周面から突出したブラケットの端部が挿入されるとともに、ブラケット挿入溝と略直交する方向にビーム及びブラケットの端部を貫通する第２ボルトとナットとによって、ブラケットとビームとが固定されている構成としたものが開示されている（例えば、特許文献１参照）。
【特許文献１】特開２００２−３５６８２１号公報
【発明の開示】
【発明が解決しようとする課題】
【０００３】
しかしながら、上記の木製防護柵は、支柱やビームに形成した貫通孔に直接ボルトを貫通させた後、ボルトの両端側からナットを締め込んで、木材を両側から圧縮・変形させることにより、支柱及びビームとブラケットとが強固に固定されているものであるので、経年変化等によって支柱やビームが乾燥して収縮してくると、ナットと支柱やビームの外周面との間や、支柱やビームに形成した貫通孔の内壁面とボルトの外周面との間に隙間が生じて、ボルトやナットが緩んでしまうという不具合がある。その結果、ビームのガタつきや、部品の脱落が発生し、利用者に不安感を与え、ひどい場合には、支柱とビームとの連結部分が破損するなどの不具合が生じる。
以上の不具合を防止するには、定期的に点検してナットを締め直すことや、支柱やビームに形成した貫通孔にパテを注入して、貫通させるボルトとの間に生じた隙間を埋めることにより対処できるが、点検の実施に伴う管理費や点検作業者の人件費等などにより、非常にコスト高になるという弊害が生じる。
本発明は、以上のような問題点に鑑みてなされたものであって、簡潔な構造でありながら、木材の収縮に影響を受けることなく、支柱とビームなどの木質柱状部材同士の連結状態を長期間良好に維持できる連結構造及びこの連結構造を備えた木製防護柵を提供することを目的とするものである。
【課題を解決するための手段】
【０００４】
本発明の木質柱状部材の連結構造は、その一部に軸方向に設けられたスリット部と、このスリット部に交差する方向にボルト挿通孔とを有する複数の木質の柱状部材同士が、
それぞれ１つの連結部材に設けられた嵌装部を、この嵌装部に設けられたボルト挿通孔が木質柱状部材のボルト挿通孔に一致するように前記スリット部に嵌装させ、木質柱状部材を貫通するように配置されたボルトを締め込むことによって、連結部材を介して連結されている木質柱状部材の連結構造であって、
前記木質柱状部材のボルト挿通孔は、少なくとも木質柱状部材の外壁面側がボルトの胴部の径より大径になっていて、
中央にボルトの胴部を挿通可能なボルト挿通孔を備えた筒状ゴム弾性体が、前記木質柱状部材のボルト挿通孔の大径になった部分に嵌め込まれているとともに、この筒状ゴム弾性体が前記ボルトの締め込みによって筒の軸方向に圧縮され、その周面が木質柱状部材のボルト挿通孔の内壁面に圧接されていることを特徴とするものである。
【０００５】
なお、本発明の木質柱状部材の連結構造は、連結部材の嵌装部に設けられたボルト挿通孔が、連結される木質柱状部材の軸方向に長い長孔に形成されており、木質柱状部材に対する連結部材の取り付け位置を木質柱状部材の軸方向に変更可能であってもよい。
【０００６】
また、本発明の木質柱状部材の連結構造は、連結部材の嵌装部に複数個のボルト挿通孔が設けられており、木質柱状部材に複数箇所で固定されていてもよい。
【０００７】
さらに、本発明の木質柱状部材の連結構造は、中央にボルト挿通孔を有するワッシャ部と、ワッシャ部から立ち上がる側壁部とを備え、木質柱状部材のボルト挿通孔の大径になった部分に嵌合可能な嵌合部と、嵌合部の両側に配置され、前記木質柱状部材の外壁面のカーブに沿って当該外壁面に当接可能な壁面当接部とを備えた変形ワッシャが、筒状ゴム弾性体の外側から木質柱状部材のボルト挿通孔の大径になった部分に嵌め込まれて、ボルトの締め込みによって、壁面当接部が木質柱状部材に圧接されていてもよい。
【０００８】
また、本発明の木製防護柵は、間隔をおいて立設される複数本の木質の支柱と、隣接する支柱間にブラケットを介して連結される複数本の木質のビームとを備えてなる木製防護柵であって、支柱は、支柱の一端部を径方向に２分割するスリット部と、このスリット部に交差するように配置されたボルト挿通孔とを備えており、ボルト挿通孔は、少なくとも支柱の外壁面側がボルトの胴部の径より大径に形成され、ビームは、ビームの両端部を径方向に２分割するスリット部と、このスリット部に交差するように配置されたボルト挿通孔とを備えており、ボルト挿通孔は、少なくともビームの外壁面側がボルトの胴部の径より大径に形成され、ブラケットは、支柱のスリット部とビームのスリット部とにそれぞれ嵌装される複数の嵌装部と、各嵌装部の一部に形成されるボルト挿通孔とを備えており、支柱とビームのスリット部には、ブラケットの各嵌装部が嵌装され、支柱のボルト挿通孔には、中央にボルトの胴部を挿通可能なボルト挿通孔を備えた筒状ゴム弾性体が嵌め込まれ、ブラケットのボルト挿通孔と筒状ゴム弾性体のボルト挿通孔とを貫通するボルトがナットで締め込まれることにより、筒状ゴム弾性体が筒の軸方向に圧縮され、その周面が支柱のボルト挿通孔の内壁面に圧接した状態で、ブラケットが支柱とビームのそれぞれに固定されていることを特徴とするものである。
【発明の効果】
【０００９】
請求項１記載の発明に係る木質柱状部材の連結構造によれば、
木質柱状部材のボルト挿通孔が、少なくとも木質柱状部材の外壁面側がボルトの胴部の径より大径になっていて、中央にボルトの胴部を挿通可能なボルト挿通孔を備えた筒状ゴム弾性体が、前記木質柱状部材のボルト挿通孔の大径になった部分に嵌め込まれているとともに、この筒状ゴム弾性体が前記ボルトの締め込みによって筒の軸方向に圧縮され、その周面が木質柱状部材のボルト挿通孔の内壁面に圧接されているので、
木質柱状部材が、経年変化等によって乾燥して収縮して、木質柱状部材のボルト挿通孔の径が拡大した場合には、筒状ゴム弾性体にかかる圧縮力が低減して、ボルト挿通孔内において筒状ゴム弾性体が膨張するため、木質柱状部材のボルト挿通孔の内壁面と筒状ゴム弾性体の周面との密着状態を維持することができる。したがって、木質柱状部材に対するボルトの緩みが発生しにくく、安全性の高い連結構造を提供することができる。
【００１０】
請求項２記載の発明に係る木質柱状部材の連結構造によれば、
連結部材の嵌装部に設けられたボルト挿通孔が、連結される木質柱状部材の軸方向に長い長孔に形成されており、木質柱状部材に対する連結部材の取り付け位置を木質柱状部材の軸方向に変更可能であるので、連結される木質柱状部材の軸方向の長さが過不足する場合であっても、木質柱状部材に対する連結部材の取り付け位置を微調整することにより、複数の木質柱状部材をスムーズに連結することができるので、施工性がよい。また、木質柱状部材に厳密な寸法精度が要求されないため、加工コストを低減できる。
【００１１】
請求項３記載の発明に係る木質柱状部材の連結構造によれば、
連結部材の嵌装部に複数個のボルト挿通孔が設けられており、木質柱状部材に複数箇所で固定されているので、連結部材を木質柱状部材に確実に連結させることができる。
【００１２】
請求項４記載の発明に係る木質柱状部材の連結構造によれば、
中央にボルト挿通孔を有するワッシャ部と、ワッシャ部から立ち上がる側壁部とを備え、木質柱状部材のボルト挿通孔の大径になった部分に嵌合可能な嵌合部と、嵌合部の両側に配置され、前記木質柱状部材の外壁面のカーブに沿って当該外壁面に当接可能な壁面当接部とを備えた変形ワッシャが、筒状ゴム弾性体の外側から木質柱状部材のボルト挿通孔の大径になった部分に嵌め込まれて、ボルトの締め込みによって、壁面当接部が木質柱状部材に圧接されているので、ボルトの緩み防止機能に加えて、経年変化等による木質柱状部材の径方向への変形を防止でき、長期間、木質柱状部材の美観を保つことができる。
【００１３】
請求項５記載の発明に係る木製防護柵によれば、
支柱とビームのスリット部には、ブラケットの各嵌装部が嵌装され、支柱のボルト挿通孔には、中央にボルトの胴部を挿通可能なボルト挿通孔を備えた筒状ゴム弾性体が嵌め込まれ、ブラケットのボルト挿通孔と筒状ゴム弾性体のボルト挿通孔とを貫通するボルトがナットで締め込まれることにより、筒状ゴム弾性体が筒の軸方向に圧縮され、その周面が支柱のボルト挿通孔の内壁面に圧接した状態で、ブラケットが支柱とビームのそれぞれに固定されているので、
支柱やビームが、経年変化等によって乾燥して収縮して、支柱やビームのボルト挿通孔の径が拡大した場合には、筒状ゴム弾性体にかかる圧縮力が低減して、ボルト挿通孔内において筒状ゴム弾性体が膨張するため、支柱やビームのボルト挿通孔の内壁面と筒状ゴム弾性体の周面との密着状態を維持することができ、支柱やビームに対するボルトの緩みが発生しにくく、安全性の高い木製防護柵を提供することができる。
【発明を実施するための最良の形態】
【００１４】
以下、本発明の一実施形態にかかる木製防護柵を図面に基づいて説明する。図１〜図３は、この木製防護柵の設置状態を示しており、図４〜図９は、この木製防護柵の各構成要素を示している。なお、図１、図１０以外の図においては、支柱及びビームの表面にあらわれる木目模様の図示を省略している。
【００１５】
図１に示すように、本実施形態の木製防護柵１は、主に、複数本の支柱２と、隣接する支柱２，２間に架け渡されるビーム３と、支柱２とビーム３とを連結するブラケット４と、支柱２の上端部に被せられる防水キャップ５とで構成されている。
【００１６】
支柱２は、図４に示すように、例えば杉の間伐材等の木材を、直径１２０ｍｍ、長さ１２００ｍｍの円柱状に製材してなるものである。支柱２の上部には、支柱２をその径方向に２分割する縦割り溝２３が形成されている。縦割り溝２３は、支柱２の上端面２２からその約３４０ｍｍ下方となる所定の高さ位置まで、支柱２の軸方向に延在して形成されており、その溝幅は３〜４ｍｍ程度である。また、支柱２の前記縦割り溝２３が形成された部分には、後述する筒状ゴム弾性体６および第１ボルト１１を挿通するための貫通孔２４が、所定間隔（ここでは２５０ｍｍ）をおいて上下に２つ形成されている。両貫通孔２４は、縦割り溝２３の溝方向と直交する直径方向に支柱２を貫通して穿設されている。
【００１７】
ビーム３は、図５に示すように、支柱２に用いたものと同様の木材を、直径１００ｍｍ，長さ１８４０ｍｍの円柱状に製材してなるものである。ビーム３の両端部には、ビーム３をその径方向に２分割するブラケット挿入溝３４が形成されている。ブラケット挿入溝３４は、ビーム３の両端面３２から中央部に向かって約１６５ｍｍとなる所定の位置まで、ビーム３の軸方向に延在して形成されている。なお、ブラケット挿入溝３４の溝幅は縦割り溝２３と同様に３〜４ｍｍ程度である。また、ビーム３におけるブラケット挿入溝３４が形成された両端部には、後述する第２ボルトを挿通するための貫通孔３５が形成されている。各貫通孔３５は、ブラケット挿入溝３４の溝方向と直交する直径方向にビーム３を貫通して穿設されている。
【００１８】
ブラケット４は、厚さ３ｍｍのステンレス鋼板製で、図６（ａ）（ｂ）に示すように、略Ｔ字状に形成されており、ビーム３との連結方向に延びる幅４０ｍｍ，長さ４１０ｍｍの横アーム部４０１と、横アーム部４０１の中央から垂直下方に延びる幅４０ｍｍ，長さ３００ｍｍの縦アーム部４０２とを備えている。縦アーム部４０２の上端部で横アーム部４０１の中央部となる位置と、縦アーム部４０２の下端部とには、後述する第１ボルトを挿通するための透孔４１が穿設されている。また、横アーム部４０１の長手方向の両端部分には、後述する第２ボルトを挿通するための透孔４２が所定間隔（ここでは５５ｍｍ）をおいて片側に２つずつ穿設されている。なお、透孔４２は、横アーム部４０１の長手方向に長い長孔に形成されている。
【００１９】
次に、本実施形態の木製防護柵１を、図１〜図３を参照しつつ説明する。木製防護柵１は、図１に示すように、複数の支柱２が、下端部を地中に埋設した状態で、所定間隔をおいて地面Ｇに立設されている。そして、隣接する支柱２，２間に、上下２本のビーム３，３が所定間隔をおいて水平に架け渡されている。支柱２を介して左右に隣接するビーム３同士は、ブラケット４を介して連結されるとともに、そのブラケット４を介して支柱２に支持されている。
【００２０】
すなわち、図２，図３に示すように、支柱２に対するブラケット２の取り付け構造としては、まず、支柱２の貫通孔２４の両端開口側からそれぞれ筒状ゴム弾性体６が挿入され、支柱２の縦割り溝２３内に筒状ゴム弾性体６の先端面６２が突出しないように配置されている。次に、ブラケット４の縦アーム部４０２が、支柱２の縦割り溝２３に挿嵌されるとともに、縦アーム部４０２に設けられた透孔４１が支柱２の貫通孔２４に連通させられ、この連通した貫通孔２４及び透孔４１に第１ボルト１１が挿通されている。その後、筒状ゴム弾性体６の先端面６２がブラケット４の側面部４３に突き当てられた状態で、第１ボルト１１の両端部側からワッシャ７が装着され、ナット８が螺合されている。この実施形態では、第１ボルト１１として、全長９０ｍｍの棒状体の両端部に、長さ１５ｍｍの雄ネジが刻設された、ボルト頭部を有さない所謂「寸切ボルト」が使用されている。また、筒状ゴム弾性体６は、長さが３０ｍｍの円筒状で、軸中心部分に第１ボルト１１を挿通するためのボルト挿通孔６１が貫通形成されている。
【００２１】
ビーム３に対するブラケット４の取り付け構造は、基本的には支柱２に対するブラケット４の取り付け構造と同様であって、ビーム３の貫通孔３５の両端開口側からそれぞれ筒状ゴム弾性体６０が挿入され、ビーム３のブラケット挿入溝３４内に筒状ゴム弾性体６０の先端面６２０が突出しないように配置されている。次に、ブラケット４の横アーム部４０１が、ビーム３のブラケット挿入溝３４に挿嵌されるとともに、横アーム部４０１に設けられた透孔４２がビーム３の貫通孔３５に連通させられ、この連通した貫通孔３５及び透孔４２に第２ボルト１２が挿通されている。その後、筒状ゴム弾性体６０の先端面６２０がブラケット４の側面部４３に突き当てられた状態で、第２ボルト１２の両端部側からワッシャ７０が装着され、ナット８０が螺合されている。尚、第２ボルト１２も第１ボルトと同様に、棒状体の両端部に雄ネジが刻設された、ボルト頭部を有さない所謂「寸切ボルト」が使用されている。
【００２２】
そして、各支柱２及び各ビーム３の位置関係や傾きなどを微調節した後に、ナット８，８０を締め込むことにより、支柱２にブラケット４が固定され、ブラケット４にビーム３がそれぞれ固定される。つまり、縦割り溝２３の溝内面がブラケット４の側面に摺接している上、前記ナット８を締め込むと、向かい合う筒状ゴム弾性体６の先端面６２が、縦割り溝２３内のブラケット４の側面４３に強く圧接されるとともに、筒状ゴム弾性体６が軸方向に圧縮され、胴部が径方向に膨出し、胴部の外周面６３が、支柱２の貫通孔２４の内壁面に圧接されるので、これにより生じる摩擦力によって支柱２とブラケット４とが強固に固定されるのである。ビーム３とブラケット４との取り付け状態についても同様であって、ブラケット挿入溝３４の溝内面がブラケット４の側面４３に摺接している上、前記ナット８０を締め込むと、向かい合う筒状ゴム弾性体６０の先端面６２０が、ブラケット挿入溝３４内のブラケット４の側面に強く圧接されるとともに、筒状ゴム弾性体６が軸方向に圧縮され、胴部が径方向に膨出し、胴部の外周面６３０が、ビーム３の貫通孔３５の内壁面に圧接されるので、これにより生じる摩擦力によって支柱２とブラケット４とが強固に固定されるのである。
【００２３】
支柱２とビーム３の各貫通孔２４，３５は、図３に示すように、保護キャップ９，９０で塞がれる。保護キャップ９，９０は、貫通孔２４，３５の開口部を塞ぐ円弧状断面のキャップ部９１，９１０と、キャップ部９１，９１０の下面側に延設され、第１ボルト１１または第２ボルト１２の端部の雄ネジに螺合する雌ネジがその内壁面に刻設された円筒状の取り付け部９２，９２０とを備えており、FRP等の耐候性及び防水性のある材料で一体成型して構成されている。そして、キャップ部９１が支柱２の外周面２１に、キャップ部９１０がビーム３の外周面３１に、それぞれ密着するまで、取り付け部９２，９２０を第１ボルト１１または第２ボルト１２の端部に螺合させて締め込むことによって、支柱２またはビーム３に固定されている。なお、保護キャップ９，９０の形状は、本実施形態に限られない。例えば、キャップ部９１，９１０に延設される円筒状の取り付け部が、支柱２とビーム３の各貫通孔２４，３５に挿入可能な外径を有し、その外周面に雄ネジが刻設され、各貫通孔２４，３５内にねじ込むことによって、支柱２またはビーム３に固定されていてもよい。
【００２４】
防水キャップ５は、図２に示すように、支柱２の上端部を挿入可能な内径を有する円筒状の周壁部５１と、この周壁部５１の上端開口を塞ぐ円弧状断面の頂壁部５２とを備えており、保護キャップ９，９０と同様に、FRP等の耐候性及び防水性のある材料で一体成型して構成されている。防水キャップ５は、前記のようにブラケット４を取り付けた後に、支柱２の上端部２２に外嵌され、周壁部５１を貫通して支柱２に達する木ネジ５３をねじ込むことによって、支柱２に固定されている。
【００２５】
以上のように、本実施形態の木製防護柵１は、支柱２と第１ボルト１１との間に筒状ゴム弾性体６を介在させるとともに、ビーム３と第２ボルト１２との間に筒状ゴム弾性体６０を介在させたので、ナット８，８０の締め込みによって、筒状ゴム弾性体６，６０の先端面６２，６２０が、ブラケット４の側面４３に強く圧接されるとともに、筒状ゴム弾性体６，６０の胴部の外周面６３，６３０が、支柱２またはビーム３の貫通孔２４，３５の内壁面に圧接され、これにより生じる摩擦力によって、支柱２とブラケット４との連結部分およびビーム３とブラケット４との連結部分とを、それぞれ強固に固定させることができる。
【００２６】
そして、支柱２やビーム３が、経年変化等によって乾燥して収縮して、支柱２やビーム３の貫通孔２４，３５の径が拡大した場合には、筒状ゴム弾性体６，６０にかかる圧縮力が低減して、支柱２やビーム３の貫通孔２４，３５内において筒状ゴム弾性体６，６０が膨張するため、支柱２の貫通孔２４の内壁面と筒状ゴム弾性体６の外周面６３との密着状態およびビーム３の貫通孔３５の内壁面と筒状ゴム弾性体６０の外周面６３０との密着状態を維持することができ、第１ボルト１１，第２ボルト１２の緩みが発生しにくい。したがって、第１ボルト１１，第２ボルト１２は勿論のこと、ブラケット４やブラケット４に連結したビーム３のガタツキが発生しにくく、安全性の高い木製防護柵１を提供することができる。
【００２７】
また、ブラケット４の横アーム部４０１にかかる透孔４２の形状を長孔形状としたので、ビーム３の長さにばらつきがある場合でも、ビーム３の貫通孔３５に対するブラケット４の透孔４２の位置をずらせることにより、スムーズに連結することができるため、施工性がよい。また、ビーム３に厳密な寸法精度が要求されないため、加工コストを低減できる。
【００２８】
また、ブラケット４の縦アーム部４０２の上下２箇所に透孔４１を設けるとともに、ブラケット４の横アーム部４０１の軸方向２箇所に透孔４２を設け、ブラケット４を支柱２およびビーム３のそれぞれに軸方向２箇所で固定するようにしたので、ブラケット４を支柱２およびビーム３のそれぞれに確実に固定することができ、ブラケット４やブラケット４に連結したビーム３のガタツキをより効果的に防止できる。
【００２９】
さらに、ビーム３のブラケット挿入溝３４を、ビーム３の両端部がその径方向に２分割されるように形成したので、ビーム３のブラケット挿入溝３４を、支柱２に固定されたブラケット４の横アーム部４０１に嵌装させるときに、ブラケット４の上下いずれの方向からでもビーム３を取り付けることができるし、木製防護柵１を傾斜面に設置する場合など、支柱２に固定されたブラケット４の横アーム部４０１にビーム３を所定角度傾斜させて嵌装させる場合には、ビーム３の傾斜角度を自由に設定できるので、作業性・汎用性に優れる。
【００３０】
なお、本発明にかかる木製防護柵が、前記説明したものに限定されないことは言うまでもなく、例えば支柱及びビームの直径・長さや、ブラケットの形状・寸法等は、前記で示したものに限られず，必要に応じて種々の設計変更が可能である。例えば、支柱２とブラケット４との取り付け箇所、ビーム３とブラケット４の取り付け箇所はそれぞれ２箇所に限られず、１箇所でもよいし３箇所以上であってもよい。さらに、ブラケットの形状は、例えば、図７（ａ）に示すように、縦アーム部４０２と、縦アーム部４０２の上下両端部に配置される横アーム部４０１とを備えた略エ字状のブラケット４ａであってもよいし、図７（ｂ）に示すように、縦アーム部４０２と、縦アーム部４０２の上端から一方向に延びる横アーム部４０１とを備えた略Ｌ字状のブラケット４ｂであってもよい。
【００３１】
また、前記では、隣接する支柱２，２間に２本のビーム３，３が架け渡された「２段ビーム」の木製防護柵１を示したが、隣接する支柱２，２間に架け渡されるビーム３の数は１本でも３本以上であっても構わない。
【００３２】
また、前記では、第１ボルト１１，第２ボルト１２としてボルト頭部を有しない寸切りボルトを用いたが、例えば六角ボルト等の頭部を有するボルトを使用しても構わない。さらに、前記では、第１ボルト１１，第２ボルト１２は、その両端部に雄ネジが刻設されているが、ボルトの全長に亘って雄ネジが刻設されていてもよい。
【００３３】
また、前記では、ブラケット４の横アーム部４０１，縦アーム部４０２をそれぞれ支柱２及びビーム３への取り付けに使用したが、図１０に示すように、支柱２及びビーム３に取り付けずに余ったアームを利用して、案内看板Ｐなどを保持させてもよい。
【００３４】
また、支柱２とビーム３に形成されている貫通孔２４，３５は、縦割り溝２３またはブラケット挿入溝３４の溝方向と直交する直径方向に、筒状ゴム弾性体６，６０と同一の径で穿設されているが、孔径はこれに限定されるものではなく、少なくとも支柱２とビーム３の外周面側が筒状ゴム弾性体６，６０を挿入可能な内径であればよい。すなわち、支柱２とビーム３に形成されている貫通孔２４，３５は、筒状ゴム弾性体６を挿嵌可能な大径部と、第１ボルト１１または第２ボルト１２を挿入可能で、縦割り溝２３またはブラケット挿入溝３４に連通する小径部とを備えていてもよい。この場合でも、筒状ゴム弾性体６，６０が貫通孔２４，３５の大径部の内壁面に対して圧接することによる摩擦力によってボルトの緩みを防止できる。
【００３５】
なお、本実施形態では、本発明にかかる木質柱状部材の連結構造を有する構造物として、木製防護柵１を例に挙げて説明したが、構造物はこれに限られることはなく、複数の木質柱状部材を本発明の連結構造で連結するものであればよい。したがって、例えば、公園に設置される木製遊具や、フィールドアスレチック用の木製構造物であってもよいし、椅子やテーブルなどの木製家具等であってもよい。
【００３６】
次に、筒状ゴム弾性体６，６０とナット８，８０との間に介装されるワッシャの別の実施形態を説明する。本実施形態のワッシャは、金属製の板材で形成されており、図８，図９に示すように、中央に第１ボルト１１または第２ボルト１２を挿通するためのボルト挿通孔１４を有するワッシャ部１５０と、ワッシャ部１５０の両側から立ち上がる側壁部１５１とを備え、支柱２またはビーム３の貫通孔２４，３５に嵌合可能な断面視略コの字上の嵌合部１５と、嵌合部１５の両側に配置され、支柱２またはビーム３の外壁面のカーブに沿って当該外壁面に当接可能な壁面当接部１６とを備えた変形ワッシャ７ａである。
【００３７】
そして、図８に示すように、変形ワッシャ７ａの嵌合部１５を筒状ゴム弾性体６，６０の外側から支柱２またはビーム３の貫通孔２４，３５に嵌合させ、ワッシャ部１５０を筒状ゴム弾性体６，６０の後端面に当接させるとともに、壁面当接部１６を支柱２またはビーム３の外壁面２１，３１に当接させた後、変形ワッシャ７ａのボルト挿通孔１４と筒状ゴム弾性体６，６０のボルト挿通孔６１，６１０とに第１ボルト１１，第２ボルト１２を挿通させ、第１ボルト１１，第２ボルト１２の端部をナット８，８０で締め込んで、変形ワッシャ７ａを支柱２またはビーム３に固定する。
【００３８】
ところで、支柱２とビーム３には、その端部を径方向に２分割する縦割り溝２３とブラケット挿入溝３４が形成されているが、経年変化等によって木材が乾燥し収縮すると、溝に対向する両側の半割部分が、径方向外向きに反り返り、木材が変形してしまう。
本実施形態の変形ワッシャ７ａによれば、第１ボルト１１，第２ボルト１２の締め込みによって、ワッシャ部１５０が筒状ゴム弾性体６，６０の後端面に圧接されているとともに、壁面当接部１６が支柱２またはビーム３の外壁面２１，３１に圧接されているので、第１ボルト１１，第２ボルト１２の緩み防止機能に加えて、上述したような木材の変形を防止でき、長期間、支柱２とビーム３の美観を保つことができる。
【００３９】
なお、上記の変形ワッシャ７ａは、一実施形態であって、上記形状に限定されるものではない。すなわち、支柱２またはビーム３の貫通孔２４，３５に嵌合する嵌合部と、支柱２またはビーム３の外壁面に圧接される壁面当接部を備えていれば、他の形状であっても構わない。
【図面の簡単な説明】
【００４０】
【図１】本発明の一実施形態に係る木製防護柵の水平地への設置状態を示す正面図である。
【図２】一部を断面で示した図１の要部拡大正面図である。
【図３】図２のＡ−Ａ線に沿う断面図である。
【図４】図４(ａ)は支柱の一部省略側面図であり、図４(ｂ)は図４(ａ)のＢ−Ｂ線に沿う断面図である。
【図５】図５(ａ) はビームの軸方向の端面を示した側面図であり、図５(ｂ)は図５(ａ)のＣ−Ｃ線に沿う一部省略断面図である。
【図６】図６(ａ)はブラケットの正面図であり、 図６(ｂ)は図６(ａ)のＤ−Ｄ線に沿う断面図である。
【図７】図７(ａ)は別のブラケットの正面図であり、図７(ｂ)はさらに別のブラケットの正面図である。
【図８】本発明の一実施形態に係る変形ワッシャの支柱またはビームへの取り付け状態を示す要部拡大断面図である。
【図９】本実施形態に係る変形ワッシャの斜視図である。
【図１０】本発明の一実施形態に係るブラケットの他の使用状態を示す正面図である。
【符号の説明】
【００４１】
１      木製防護柵
２      支柱（木質柱状部材）
２４    貫通孔（木質柱状部材に設けられたボルト挿通孔）
３      ビーム（木質柱状部材）
３５    貫通孔（木質柱状部材に設けられたボルト挿通孔）
４      ブラケット（連結部材）
４１，４２    ボルト挿通孔（連結部材の嵌装部に設けられたボルト挿通孔）
６，６０      筒状ゴム弾性体
６1，６１０  ボルト挿通孔（筒状ゴム弾性体の中央部に設けられたボルト挿通孔）
７ａ    変形ワッシャ
１１    第１ボルト（ボルト）
１２    第２ボルト（ボルト）
１４    ボルト挿通孔（変形ワッシャ７ａに設けられたボルト挿通孔）
１５    嵌合部
１５０  ワッシャ部
１５１  側壁部
１６    壁面当接部
【図１】
2006057301.tif 000003
【図２】
2006057301.tif 000004
【図３】
2006057301.tif 000005
【図４】
2006057301.tif 000006
【図５】
2006057301.tif 000007
【図６】
2006057301.tif 000008
【図７】
2006057301.tif 000009
【図８】
2006057301.tif 000010
【図９】
2006057301.tif 000011
【図１０】
2006057301.tif 000012